(57)【特許請求の範囲】
【請求項１】
建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させて円筒状のカラーが設けられ、前記カラーは本体筒部と軸心が一致し、かつその前縁が前記遮蔽部と略同一径で、前記前縁の上下左右のいずれかからさらに突出した局部延長部を設け、前記局部延長部を前記カラーの前縁の左方部、右方部のいずれかから設けたものであって、前記局部延長部の外周に、前記局部延長部の外周についた雨水が前記遮蔽部側には落ちなく前記カラーの左右端から下方へ滴下する外方向に凸となるリブを設けたことを特徴とする換気用ベントキャップ。
【請求項２】
カラーは本体筒部の室外側開口部から室外側に突出させた円錐状のカラーであって、前記カラーは前記本体筒部と軸心が一致し、かつその前縁が前記遮蔽部と略同一径または前記遮蔽部の径より内側に位置するとともに、前記遮蔽部に向けて拡径して突出し、その突出方向の仮想延長線が遮蔽部と交わらない構成とした請求項１記載の換気用ベントキャップ。
【請求項３】
遮蔽部は外周縁から中心部に向かうにしたがって室内側に厚みが増加する突形状部を有した請求項１または２に記載の換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして、室外側に風雨の吹き込みを防止する遮蔽板を設けた換気用ベントキャップが知られている（例えば、特許文献１参照）。
【０００３】
以下、その換気用ベントキャップについて図１０を参照しながら説明する。
【０００４】
図に示すように、建物の壁１０１に設けられた通風口に装着され、室内１０２と室外１０３を連通する開口を有するダクト接続部１０４と、このダクト接続部１０４の室外１０３側に取り付けられる取付部１０５に前記ダクト接続部１０４の開口に連通する開口を有し、この取付部１０５の開口の周辺に複数の支脚１０６を設けた本体１０７と、この本体１０７の支脚１０６に取り付けられた風雨侵入防止の防風板１０８とで構成され、壁１０１に取り付けられた時、前記本体１０７の上方部となる箇所に整流手段１０９を設けている。    
【０００５】
また、風雨侵入防止のために別の形状をした防風板を備えた換気用ベントキャップとして、特許文献２の換気用ベントキャップが知られている。
【０００６】
以下、その換気用ベントキャップについて図１１を参照しながら説明する。
【０００７】
図に示すように、建築物の壁１２０に設けられた通気ダクト１２１に嵌入されるダクト接続用筒部材１２２と、ダクト接続用筒部材１２２に固定され壁１２０の室外側に取り付けられる換気用ベントキャップ本体１２３と、換気用ベントキャップ本体１２３に周設され換気用ベントキャップ本体１２３から突出するとともに、室外側に向かって広くなるテーパ状カバー１２４と、換気用ベントキャップ本体１２３の正面から風雨が吹き込まないような位置で換気用ベントキャップ本体１２３の室外側を覆うとともに、換気用ベントキャップ本体１２３およびテーパ状カバー１２４との間に通風用の空間を有するように配設される防風板１２５とを備え、防風板１２５の周縁は室外側に向かって屈曲するとともに、テーパ状カバー１２４の室外側の周縁の内側に位置する構成としている。
【特許文献１】特開平１１−１３２５１３号公報（００８段落、図８）
【特許文献２】特開２０００−３２０８７０号公報（第３頁第４欄、図２）
【発明の開示】
【発明が解決しようとする課題】
【０００８】
このような従来の換気用ベントキャップにおいて、特許文献１に記載された換気用ベントキャップでは、換気をすると、取付部１０５の開口から排出される排気流は開口の正面にある防風板１０８に当り、防風板１０８と本体１０７の間から上下左右に排出される。本体１０７の上部へ流れる排気流は上方に整流手段１０９が設けられているため、排気流は整流手段１０９の先端で絞られるとともに整流手段１０９の上面付近の空間部１１０が負圧になって、排気流はこの空間部１１０に巻き込まれて上方への吹出しが弱くなって流れ、軒下天井１１１に届かず、軒下天井１１１を汚すのをいくらかは低減できる。しかし、防風板１０８の上方部において、軒下天井１１１に対し垂直に向かう風が発生しているため、換気用ベントキャップが軒下天井１１１の近くに設置されたときは、防風板１０８に当たり軒下天井１１１に垂直に向かう排気流によって軒下天井１１１が汚れてしまう。また、整流手段１０９が防風板１０８の外周より内側に位置しているため、空間部１１０に風が巻き込まれる現象が発生し、排気流は壁１０１に向かっても流れ、換気用ベントキャップの上方の壁面１０１ａが汚れてしまうという課題があった。
【０００９】
そして、近年、マンション等に設置される換気用ベントキャップにおいて、その設置位置は軒天近傍に設置されることが多くなってきている。そのため、室内換気をする際に、換気用ベントキャップから排出される排気流が汚れていると、軒下天井１１１に垂直に向かう排気流によって、軒下天井１１１が汚れてしまうという事態が起こっていた。
【００１０】
また、特許文献２に記載された換気用ベントキャップでは、室内から排出される排気流は、テーパ状カバー１２４の内周面を通過するため、この内周面が汚れることとなる。このような場合、壁に設置された換気用ベントキャップを正面から見たときには、テーパ状カバー１２４の汚れた内周面が見えるため、排気流によって汚れた換気用ベントキャップとなり、換気用ベントキャップの外観が悪くなるばかりか、換気用ベントキャップが設置された壁１２０自体の外観を悪くしてしまう。
【００１１】
このような従来の換気用ベントキャップでは、汚れた排気流が防風板等の遮蔽板に跳ね返されて外壁および軒下天井に当たり、外壁および軒下天井を汚してしまうという課題があった。また、換気用ベントキャップの防風板がテーパ状カバーより小さい場合には、換気用ベントキャップ内部の汚れ自体が見えてしまい、ひいては外壁自体の外観を損なうという課題があり、換気用ベントキャップが設置された箇所周囲の外壁に汚れを付着させず、かつ、見えないようにした換気用ベントキャップが要求されている。
【００１２】
本発明は、従来のこのような課題を解決するものであり、換気口の前面に遮蔽板があっても、排気流が遮蔽板によって跳ね返されないで、外壁および軒下天井等を汚すのを防止でき、また正面から換気用ベントキャップを見ても、汚れた部位を覆うことができる換気用ベントキャップを提供することを目的としている。
【課題を解決するための手段】
【００１３】
本発明の換気用ベントキャップは上記目的を達成するために、建物の外壁内に設けられて室内側と室外側を連通するダクト内に嵌挿される本体筒部と、本体筒部の室外側端部に支持部材を介して室外に設けられる遮蔽部とを備えた換気用ベントキャップであって、前記本体筒部の室外側開口部から室外側に突出させて円筒状のカラーが設けられ、前記カラーは本体筒部と軸心が一致し、かつその前縁が前記遮蔽部と略同一径で、前記前縁の上下左右のいずれかからさらに突出した局部延長部を設けたものである。
【００１４】
また、他の手段は、局部延長部をカラーの前縁の左方部、右方部のいずれかから設けたものである。
【００１５】
また、他の手段は、局部延長部をカラーの前縁の下方部から設けたものである。
【００１６】
また、他の手段は、局部延長部の外周に、外方向に凸となるリブを設けたものである。
【００１７】
また、他の手段は、カラーは本体筒部の室外側開口部から室外側に突出させた円錐状のカラーであって、前記カラーは前記本体筒部と軸心が一致し、かつその前縁が前記遮蔽部と略同一径または前記遮蔽部の径より内側に位置するとともに、前記遮蔽部に向けて拡径して突出し、その突出方向の仮想延長線が遮蔽部と交わらない構成としたものである。
【００１８】
また、他の手段は、遮蔽部は外周縁から中心部に向かうにしたがって室内側に厚みが増加する突形状部を有したものである。
【発明の効果】
【００１９】
本発明によれば、室内から排出される空気が汚れを含んだ排気流であっても、局部延長部によって、局所的に排出空気を少なくし、また遮蔽部の外周縁から離れる際に反外壁側に流れるため、排気流が外壁面および軒下天井等の周囲の壁面に当たらず、排気流によって外壁面、軒下天井等が汚れるのを防止でき、また換気用ベントキャップを正面から見たとき、カラーは遮蔽部と略同一径であるので、排気流によってカラー内周面に付着した汚れが見えない換気用ベントキャップが得られる。
【００２０】
また、局部延長部をカラーの前縁の左方部、右方部のいずれかから設けることによって、換気用ベントキャップを設置した外壁の面と、換気用ベントキャップを設置した外壁の左右いずれかの側で、垂直方向に張り出された仕切壁などの壁面への汚れの付着を防止できる。
【００２１】
また、局部延長部をカラーの前縁の下方部から設けることによって、ベントキャップが高層住宅などに設置されたとき、ビル風などの下から吹き上げられる風が発生しても、室内に外風が侵入しにくい、という効果も奏する。
【００２２】
また、局部延長部の外周に、外方向に凸となるリブを設けることによって、降雨時に局部延長部の外周についた雨水は、リブに沿って流れてカラーの前縁より外壁側に流れて落ちるので、外壁に向かう風が吹いても、室内に雨水が侵入しないようにすることができる。
【００２３】
また、カラーが本体筒部の室外側開口部から室外側に突出させた円錐状のカラーで、その突出方向の仮想延長線が遮蔽部と交わらない構成としているので、室内から排出される空気が汚れを含んだ排気流であっても、排気流はカラーに案内されて流れ、遮蔽部の外周縁から離れる際に反外壁側に流れるため、外壁面に当たらず、排気流によって外壁面が汚れるのを防止でき、また、換気用ベントキャップを正面から見たとき、カラーは遮蔽部と略同一径または内側に位置するので、排気流によってカラー内部に付着した汚れは見えることがなく、また雨が侵入しにくく、さらに、ベントキャップの圧力損失を小さくできる。
【００２４】
また、遮蔽部が室内側に厚みが増加する突形状部を有しているので、室内からの汚れた排気流が本体筒部を通り遮蔽部に当たる際、突形状部の面に沿ってガイドされ、遮蔽部の外周から離れるとき、外周方向よりも室外側に角度を有して流れ、排気流が外壁側にもどらず、排気流による外壁の汚れを防止できる。
【発明を実施するための最良の形態】
【００２５】
本発明の換気用ベントキャップは、建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させて円筒状のカラーが設けられ、前記カラーは本体筒部と軸心が一致し、かつその前縁が前記遮蔽部と略同一径で、前記前縁の上下左右のいずれかからさらに突出した局部延長部を設けたものであり、室内から排出される空気が汚れを含んだ排気流であっても、局部延長部によって、局所的に排出される空気を少なくし、また遮蔽部の外周縁から離れる際に反外壁側に流れるため、排気流が外壁および軒下天井等の周囲の壁面に当たらず、排気流によって外壁面、軒下天井等が汚れるのを防止でき、また換気用ベントキャップを正面から見たとき、カラーは遮蔽部と略同一径であるので、排気流によってカラー内周面に付着した汚れが見えなくなる、という作用を奏する。
【００２６】
また、局部延長部をカラーの前縁の左方部、右方部のいずれかから設けたものであり、換気用ベントキャップを設置した外壁の面と、換気用ベントキャップを設置した外壁の左右いずれかの側で、垂直方向に張り出された仕切壁などの壁面への汚れの付着を防止できることとなる。
【００２７】
また、局部延長部をカラーの前縁の下方部から設けたものであり、ベントキャップが高層住宅などに設置されたとき、ビル風などの下から吹き上げられる風は局部延長部によって遮られ換気用ベントキャップ内部に入らないため、室内に外風が侵入しにくいという作用も奏する。
【００２８】
また、局部延長部の外周に、外方向に凸となるリブを設けたものであり、降雨時に局部延長部の外周についた雨水は、リブに沿って流れてカラーの前縁より外壁側に流れて落ちるので、外壁に向かう風が吹いても、室内に雨水が侵入しにくいこととなる。
【００２９】
また、カラーは本体筒部の室外側開口部から室外側に突出させた円錐状のカラーであって、前記カラーは前記本体筒部と軸心が一致し、かつその前縁が前記遮蔽部と略同一径または前記遮蔽部の径より内側に位置するとともに、前記遮蔽部に向けて拡径して突出し、その突出方向の仮想延長線が遮蔽部と交わらない構成としたものであり、室内からの排気流が遮蔽部の外周縁から離れる際に反外壁側に流れるため、外壁面に当たらず、排気流によって外壁面が汚れるのを防止でき、また、換気用ベントキャップ内部の圧力損失を小さくし、さらに雨が侵入しにくくなる。
【００３０】
また、遮蔽部は外周縁から中心部に向かうにしたがって室内側に厚みが増加する突形状部を有したものであり、室内から汚れた排気流が本体筒部を通り遮蔽部に当たる際、突形状部の面に沿ってガイドされ、遮蔽部の外周から離れるとき、外周方向よりも室外側に角度を有して流れ、排気流が外壁側にもどらず、排気流による外壁面の汚れがなくなる。
【００３１】
以下、本発明の実施の形態について図面を参照しながら説明する。
【００３２】
（実施の形態１）
図１〜図３に示すように、建物の外壁１内に設けられて室内２側と室外３側を連通するダクト４内に嵌挿される本体筒部５と、本体筒部５の室外側端部前方に支持部材６を介して室外３に設けられる遮蔽部７とを備えた構成であって、本体筒部５の室外側開口部９の周縁１０には外壁面１ａに当接するフランジ１１が形成され、また室外側開口部９から室外３側に突出させて円筒状のカラー１２が設けられている、カラー１２は本体筒部５と軸心を一致させて設けられ、かつその前縁１３は遮蔽部７と略同一径である。カラー１２の上方部には、さらに突出した局部延長部１４を設け、局部延長部１４の前端部である局部前縁１３Ａと遮蔽部７との間隔Ｔ１は、局部延長部１４を設けた箇所以外の前縁１３と遮蔽部７との間隔Ｔ２より小さく形成されている。
【００３３】
上記構成において、換気をすると、室内２の汚れた空気が排出される排気流は、本体筒部５を通り室外側開口部９から出て、遮蔽部７の方へ直進する排気流Ａ１５と、やや広がりながらカラー１２の内周面に沿って流れる排気流Ｂ１６とになり、さらに、遮蔽部７の方へ直進する排気流Ａ１５は遮蔽部７に当たると、その方向を直進から遮蔽部７の外周縁１７の方向に向きを変え、外周縁１７付近では、カラー１２の内周面に沿って流れてくる排気流Ｂ１６と合わさると吹き出し方向が変わる。合わさった排気流は反外壁１側に向かい室外３に排気される。このとき、排気流が汚れている場合でも反外壁１側に向かって流れないので、汚れた排気流が外壁面１ａに当たることがなく外壁面１ａを汚すのを防ぐことができる。また、カラー１２の上方部に設けた局部延長部１４と遮蔽部７との間隔Ｔ１は、他の３方向の間隔Ｔ２よりも小さい間隔としているので、上部における局部延長部１４と遮蔽部７との間から出る排気流は少ない。図２に示すように、換気用ベントキャップの上方に軒下天井１８がある場合でも、排気流は軒下天井１８に垂直に向かって流れるのではなく、反外壁１側に向かって排出されるので、軒下天井１８および外壁面１ａに排気流が当たって汚すのを防止することができる。また、汚れた排気流が流れるとカラー１２の内周面に汚れが付着するが、換気用ベントキャップを正面から見たとき、カラー１２の前縁１３は遮蔽部７の外周縁１７と略同一径であるので、すなわち、カラー１２の前縁１３が遮蔽部７の外周縁１７よりも大きくないので、カラー１２内周面に付着した汚れは見えることがなく、長期間換気に使用された換気用ベントキャップでも内部の汚れが見えなく、換気用ベントキャップの良好な外観性を保つことができる。
【００３４】
なお、本実施の形態１では、本体筒部５のフランジ１１を本体筒部５と一体の形状として図示したが、フランジ１１は、たとえば図４示すように、カラー１２の一部として形成しても、本来の作用効果に差異はない。
【００３５】
（実施の形態２）
図５に示すように、実施の形態２の換気用ベントキャップは、図１〜図４に示す実施の形態１の換気用ベントキャップに対し、局部延長部１４Ａをカラー１２Ａの前縁の左右のいずれかから遮蔽部７側へ突出させて設けた点に特徴がある（図５では右方部から突出させた場合を示している）。
【００３６】
上記構成の換気用ベントキャップは、マンションのベランダの外壁１で、隣室のベランダとの間に仕切壁１９がある外壁１の仕切壁１９近くに設置するのに有用である。すなわち、仕切壁１９側に局部延長部１４Ａが位置するように設置することができ、そして、仕切壁１９側に排出される排気流は局部延長部１４Ａよって少なくなるので、仕切壁１９に汚れた排気流が当たらず、仕切壁１９が汚れるのを防止できる。
【００３７】
（実施の形態３）
図６に示すように、局部延長部１４Ｂをカラー１２Ｂの前縁の下方部から設けている。
【００３８】
上記構成において、換気用ベントキャップが高層マンションなどの軒のない外壁に設置されたときには、換気用ベントキャップにはビル風などの下から吹き上げられる風２０を受けるが、カラー１２Ｂの下方部に局部延長部１４Ｂが設けられているので、局部延長部１４Ｂと遮蔽部７との間隔Ｔ３が小さく、下から吹き上げる風２０が換気用ベントキャップに当たっても、風２０が間隔Ｔ３の間から入るのは少ない。このため、室外で下から吹き上げるような強い風２０が発生しても換気用ベントキャップに風２０が入りにくいので、室内に外風が侵入しにくい換気用ベントキャップとなる。
【００３９】
（実施の形態４）
図７に示すように、カラー１２Ｃの局部延長部１４Ｃの外周に外方向に凸となるリブ２１を設けている。
【００４０】
上記構成において、降雨時に局部延長部１４Ｃの外周についた雨水はリブ２１に沿って下方に流れ、カラー１２Ｃの左右端２２から下方へ滴下する。雨水はリブ２１の凸となる部分から乗り越えて遮蔽部７側には落ちないので、室外から外壁に向かう風２３が吹いても、風２３の向きに反して雨水が局部前縁１３Ａからカラー１２Ｃ内に入ることがなく、降雨時に雨が侵入しにくいベントキャップとなる。
【００４１】
（実施の形態５）
実施の形態５は、図８に示すように、上記実施の形態１に対し、本体筒部５の室外側開口部９から室外３側に突出させて円錐状のカラー１２Ｄを設け、カラー１２Ｄは本体筒部５と軸心が一致し、かつその前縁１３が遮蔽部７と略同一径であるとともに、遮蔽部７に向けて拡径して突出し、その突出方向の仮想延長線Ｌが遮蔽部７と交わらない構成とした点に特徴がある。
【００４２】
上記構成において、換気をすると、室内２から排出する汚れた排気流は、本体筒部５を通り室外側開口部９から出ると、遮蔽部７の方へ直進する排気流Ａ１５と、やや広がりながら円錐状のカラー１２Ｄの内周面に沿って流れる排気流Ｂ１６とになり、このとき、カラー１２Ｄが室外側開口部９に設けたフランジ１１の外周部から室外３側に拡径して広がっているので、カラー１２Ｄの根元２４近傍に空気渦が発生することがなく、排気流Ｂ１６がスムーズに流れ、圧力損失を小さくできる。一方、局部延長部１４があるとその分だけ圧力損失が大きくなる、すなわち、換気風量が少なくなるが、カラー１２Ｄが円錐状であることによって圧力損失が小さくなり、換気風量の低下を抑えることができる。
【００４３】
さらに、遮蔽部７の方へ直進する排気流Ａ１５は遮蔽部７に当たると、その方向を直進から遮蔽部７の外周縁１７の方向に向きを変え、外周縁１７付近ではカラー１２Ｄの突出方向の仮想延長線Ｌが遮蔽部７と交わらないように形成されているので、カラー１２Ｄの内周面に沿って流れてくる排気流Ｂ１６と合わさり、合わさった排気流は反外壁１側に向かい室外３に排気される。このとき、排気流が汚れている場合でも、反外壁１側に向かって流れないので、汚れた排気流が外壁面１ａに当たることがなくなり、外壁面１ａを汚すのを防ぐことができる。
【００４４】
また、汚れた排気流が換気用ベントキャップ内に流れると、カラー１２Ｄの内周面に汚れが付着するが、カラー１２Ｄの外周箇所である前縁１３は遮蔽部７の外周縁１７と略同一径となっているので、換気用ベントキャップを正面から見たとき、カラー１２Ｄの内周面についた汚れは見えることがない。
【００４５】
また、雨が降ったとき、雨はカラー１２Ｄの外周にかかるが、カラー１２Ｄが遮蔽部７側に径拡大、いいかえればカラー１２Ｄが本体筒部５に向けて径縮小となっているので、カラー１２Ｄの上部２５はフランジ１１に向けて雨水が流れる傾斜を有しており、雨水はカラー１２Ｄからフランジ１１の方へ流れ、さらにフランジ１１の外周に沿って下方に流れ、そしてフランジ１１の左右端に到達すると下方へ滴下する。このとき、室外３から台風のような強い風２６が外壁面１ａに吹き付けても、カラー１２Ｄから滴下した雨水は、カラー１２Ｄの前縁１３よりも外壁１側で落ちるため、外壁面１ａに吹き付ける風２６に反して、遮蔽部７側に流れ、さらに、カラー１２Ｄの前縁１３から侵入することはない。
【００４６】
このように、降雨時、台風のような強い風２６が吹いても、雨水が本体筒部５の内部に入ることがなく、雨水が室内に侵入するのを防止することができる。また、圧力損失の低減、排気流による外壁面への汚れ付着防止、カラー内部の汚れ目隠しによるベントキャップの良好な外観性維持、および雨水侵入防止の４つの効果をともに秦することができる。
【００４７】
なお、本実施の形態１では、カラー１２Ｄの前縁１３が、遮蔽部７と略同一径としたが、前縁１３が遮蔽部７の外径より内側に位置していても、前縁１３の突出方向の仮想延長線Ｌが遮蔽部７と交わらない構成となり、その作用効果に差異はない。
【００４８】
（実施の形態６）
実施の形態６は、図９に示すように、上記実施の形態１に対し、遮蔽部７Ａが外周縁１７Ａから中心部２７に向かうにしたがって室内２側に厚みが増加する突形状部２８を有している点に特徴がある。
【００４９】
上記構成において、室内２からの汚れた排気流が本体筒部５を通り遮蔽部７Ａに当たる際、突形状部２８の面に沿ってガイドされ、外周縁１７Ａから離れるとき、外周方向よりも室外３側に角度を有して流れるため、排気流が外壁１側にもどらず、排気流による外壁面１ａの汚れ防止ができる。
【産業上の利用可能性】
【００５０】
本発明にかかる換気用ベントキャップは、排気流による外壁および軒下天井などの汚れを防止できる、換気用ベントキャップ内部の汚れが見えない、という効果を奏し、建物の外壁に装着される換気用ベントキャップとして有用である。
【図面の簡単な説明】
【００５１】
【図１】本発明の実施の形態１の換気用ベントキャップの設置状態を示す断面図
【図２】同換気用ベントキャップの設置場所を示す正面図
【図３】同換気用ベントキャップの斜視図
【図４】同換気用ベントキャップの別の構成を示す断面図
【図５】本発明の実施の形態２の換気用ベントキャップを示す斜視図
【図６】本発明の実施の形態３の換気用ベントキャップを示す斜視図
【図７】本発明の実施の形態４の換気用ベントキャップを示す斜視図
【図８】本発明の実施の形態５の換気用ベントキャップの設置状態を示す断面図
【図９】本発明の実施の形態６の換気用ベントキャップの設置状態を示す断面図
【図１０】従来の換気用ベントキャップの設置場所を示す断面図
【図１１】従来の他の換気用ベントキャップの設置場所を示す断面図
【符号の説明】
【００５２】
１      外壁
２      室内
３      室外
４      ダクト
５      本体筒部
６      支持部材
７      遮蔽部
７Ａ    遮蔽部
９      室外側開口部
１２    カラー
１２Ａ  カラー
１２Ｂ  カラー
１２Ｃ  カラー
１２Ｄ  カラー
１３    前縁
１４    局部延長部
１４Ａ  局部延長部
１４Ｂ  局部延長部
１４Ｃ  局部延長部
１７Ａ  外周縁
２１    リブ
２７    中心部
２８    突形状部
【図１】
0004935653.tif 000002
【図２】
0004935653.tif 000003
【図３】
0004935653.tif 000004
【図４】
0004935653.tif 000005
【図５】
0004935653.tif 000006
【図６】
0004935653.tif 000007
【図７】
0004935653.tif 000008
【図８】
0004935653.tif 000009
【図９】
0004935653.tif 000010
【図１０】
0004935653.tif 000011
【図１１】
0004935653.tif 000012